(57)【要約】【課題】  本発明は、洗濯物の全体に亘って洗剤が散布されることにより、洗浄力が向上し、洗いむらが低減されるドラム式洗濯機を提供することを目的とする。【解決手段】  本発明は、外枠筐体内に設けられ、洗濯水やすすぎ水を溜める円筒形状の外槽と、前記外槽内に回転自在に設けられ、洗濯物を収納する円筒形状の洗濯ドラム槽とを有し、前記洗濯ドラム槽の回転軸心線が横または斜めに保たれたドラム式洗濯機において、前記洗濯ドラム槽の内周面を乾いた洗濯物が転がる転がり状態を脱して遠心力により張り付きが生じて来る速度で洗濯ドラム槽の回転を維持し、前記張り付きが生じて来る速度で回転している洗濯ドラム槽内に溶けた洗剤を散布して洗濯物に浸透させることを特徴とする。【選択図】図５
2008073127.tif 000002
【特許請求の範囲】
【請求項１】
外枠筐体内に設けられ、洗濯水やすすぎ水を溜める円筒形状の外槽と、前記外槽内に回転自在に設けられ、洗濯物を収納する円筒形状の洗濯ドラム槽とを有し、前記洗濯ドラム槽の回転軸心線が横または斜めに保たれたドラム式洗濯機において、
洗濯ドラム槽が回動するとき、前記洗濯ドラム槽の内周面を乾いた洗濯物が転がる転がり状態を脱して、洗濯ドラム槽が回転するときの遠心力により張り付きが生じて来る速度で洗濯ドラム槽の回転を維持し、
前記張り付きが生じて来る速度で回転している洗濯ドラム槽内に溶解した洗剤を散布して洗濯物に浸透させることを特徴とするドラム式洗濯機。
【請求項２】
請求項１に記載のドラム式洗濯機において、
前記張り付きが生じて来る速度は、７０〜１１０ＲＰＭ程度であることを特徴とするドラム式洗濯機。
【請求項３】
請求項１に記載のドラム式洗濯機において、
前記張り付きが生じて来る速度より高速で、かつ共振動回転数を上回る速度で回転させてから速度を下げて前記張り付きが生じて来る速度に移行させることを特徴とするドラム式洗濯機。
【請求項４】
請求項１に記載のドラム式洗濯機において、
水を浸透させてから、溶解した洗剤を散布することを特徴とするドラム式洗濯機。
【請求項５】
請求項１乃至４のいずれか１項に記載のドラム式洗濯機において、
洗剤を溶解する洗剤溶解装置を備えたことを特徴とするドラム式洗濯機。
【発明の詳細な説明】
【技術分野】
【０００１】
本発明は、洗濯ドラム槽の回転軸心線が横向きないし斜めに置かれるドラム式の洗濯機または洗濯乾燥機に関するものである。
【背景技術】
【０００２】
ドラム式の洗濯機は、特開２００３−７９９９５号公報（特許文献１）に記載されている。このドラム式洗濯機は、投入口が斜め上向きになるように洗濯ドラム槽の回転軸心線が斜めに置かれ、洗濯ドラム槽を内置する外槽がサスペンションで防振支持される構成を有する。
【０００３】
【特許文献１】特開２００３−７９９９５号公報（特許文献１）
【発明の開示】
【発明が解決しようとする課題】
【０００４】
この種のドラム式洗濯機では、一般的に、外槽の前側に存在する投入口の上側に洗剤を注入する注入口を有する。この注入口から洗濯ドラム槽に注入される洗剤は、投入口に近い前側の洗濯物に散布される。洗濯ドラム槽の奥側に存在する洗濯物には、洗濯物が投入口の方に位置しているため洗剤は散布されにくい。
【０００５】
本発明は、上記の課題に対処し、洗濯物の全体に亘って洗剤が散布されることにより、洗浄力が向上し、洗いむらが低減されるドラム式洗濯機を提供することを目的とする。
【課題を解決するための手段】
【０００６】
本発明は、外枠筐体内に設けられ、洗濯水やすすぎ水を溜める円筒形状の外槽と、前記外槽内に回転自在に設けられ、洗濯物を収納する円筒形状の洗濯ドラム槽とを有し、前記洗濯ドラム槽の回転軸心線が横または斜めに保たれたドラム式洗濯機において、前記洗濯ドラム槽の内周面を乾いた洗濯物が転がる転がり状態を脱して遠心力により張り付きが生じて来る速度で洗濯ドラム槽の回転を維持し、前記張り付きが生じて来る速度で回転している洗濯ドラム槽内に溶けた洗剤を散布して洗濯物に浸透させることを特徴とする。
【発明の効果】
【０００７】
本発明によれば、洗濯物の全体に亘って洗剤を均一に散布され、それにより洗浄力が向上し、洗いむらが低減されるドラム式洗濯機を提供することができる。
【発明を実施するための最良の形態】
【０００８】
本発明の実施例について、図面を引用して説明する。
【０００９】
以下に挙げる実施例はドラム式洗濯機であるが、本発明はドラム式洗濯乾燥機にも適用できるものである。ドラム式洗濯乾燥機の乾燥機能部を除くと、ドラム式洗濯機になる。
【００１０】
まず、図１を引用してドラム式洗濯機の概要から述べる。
【００１１】
ドラム式の洗濯機は、外枠筐体１の内側に有底円筒形状の外槽２を有する。
【００１２】
外槽２は、中央より後寄りが複数個のサスペンション３により下方から支持される。また外槽２は、その上部から引きバネ４により吊り下げ支持される。
【００１３】
サスペンション３は、外槽２を含む全重量を支持するものであり、強固な弾性支持構成を有し、外枠筐体１の外枠ベース２０に固定されている。特に脱水運転時に生じる外槽２の強い上下振動を吸収し、脱水起動時に発生する外槽２の異常振動を防止するための減衰機構などが設けられている。
【００１４】
サスペンション３の取り付け位置は、外槽２のほぼ重心位置に設けられる。
【００１５】
外槽２は、後端側が下になるように傾斜して設けられているので、サスペンション３を後側に位置させると、サスペンション３の高さが低くなり、サスペンション３のストロークが少なくなる。
【００１６】
このため、サスペンションの減衰機能を維持する上で、サスペンション３の取り付け位置は外槽２のほぼ中心側に位置した方が、後方に位置するよりも望ましい。
【００１７】
また、外槽２の上部から吊り下げ支持する引きバネ４は、外槽２の倒れ防止を兼ねた支持や脱水時の上下・左右振動を低減するために設けられている。
【００１８】
外枠筐体１の上側内部には、給水電磁弁６，洗剤投入ケース８が設けられる。洗剤投入ケース８は、注水ホース７を介して給水電磁弁６と連通するように接続される。
【００１９】
給水電磁弁６には、給水ホース５が接続される。給水ホース５の先端は水道の蛇口（図示せず）に接続される。
【００２０】
洗濯やすすぎ時には、給水電磁弁６が開放操作され、注水ホース７から洗剤投入ケース８に洗濯やすすぎに必要な水が供給される。
【００２１】
洗剤投入ケース８には、洗濯に必要な洗剤が投入される。
【００２２】
また、すすぎ時に、洗濯物９の仕上がりを良くするための柔軟仕上げ剤が洗剤投入ケース８に設けられた仕上げ剤を溜めるケース部に投入され、必要に応じ外槽２に自動的に投入される。
【００２３】
すなわち、洗濯時に、注水ホース７から供給された水により、洗剤投入ケース８内で洗剤が溶かされ、フレキシブルホース１０を流れ、外槽２の上部に設けた注入口２４から洗濯ドラム槽１１の内部に投入される。
【００２４】
注入口２４は、溶けた洗剤が洗濯ドラム槽１１の入り口から奥まで散布されるような向きに配置されている。
【００２５】
洗濯ドラム槽１１は、外槽２に回動自在に内置される。前側に投入口が設けられた有底円筒形を有する洗濯ドラム槽１１は、前端を外枠筐体１の前側に向け、後端を外枠筐体１の後側に向けるように配置される。
【００２６】
洗濯ドラム槽１１が内置される外槽２も外枠筐体１の前側に向け、後端を外枠筐体１の後側に向けるように配置される。
【００２７】
外槽２と洗濯ドラム槽１１は、円筒形の軸心線が同心になるように置かれ、かつ洗濯ドラム槽１１の投入口１１ａと外槽２の投入口１１ｂが外枠筐体１の前側に設けられている投入口１１ｃに臨むように配置される。
【００２８】
外槽２と洗濯ドラム槽１１は、投入口が設けられている前端側の方を上に、後端側の方を下になるように傾斜させて配置される。この傾き角度（水平線に対する軸心線の角度）θは、１５度である。洗濯物９の取り出しなどから１５度程度の傾き角度が望ましいが、（５〜３０）度程度の範囲内で傾き角度θを選択できる。
【００２９】
外枠筐体１は、投入口１１ｃを開閉される外蓋１２が備えられる。洗濯ドラム槽１１に洗濯物の出し入れする際に外蓋１２の開閉が行われる。
【００３０】
ベローズ２１は、外枠筐体１の投入口１１ｃの口縁部と、外槽２の投入口１１ｂの内縁部に水密的に取り付けられる。このゴム（弾性体）で出来ているベローズ２１により、外枠筐体１と外槽２の間の水密は保たれる。外蓋１２は、内側がベローズ２１に密着するので、外枠筐体１の投入口１１ｃから外部への漏水は生じない。
【００３１】
洗濯ドラム槽１１は、バランサー１３を有する。バランサー１３の内周側が前述した投入口１１ａになっている。このバランサー１３により、脱水時の振動は低減される。
【００３２】
また、洗濯ドラム槽１１は、円筒部に複数の脱水穴１４を有する。脱水時に、洗濯物に含まれている水分が脱水穴１４により遠心力で外槽２内に脱水される。
【００３３】
洗濯ドラム槽１１の円筒部には、内周に複数（３本）のリフター１６が設けられる。このリフター１６は、回転軸心線の方向に沿って延在する。リフター１６の高さは、通常は長手方向に亘ってほぼ同じ高さである。
【００３４】
奥側に位置する洗濯物９の動きを良くするため、リフター１６は洗濯ドラム槽１１の回転軸心線に対して沿わずに傾ける（下側に位置した際に水平）ことも可能である。複数のリフター１６は、例えば３本の場合、１２０度の等間隔で配置される。
【００３５】
ＤＣブラシレスモータ１９は、外槽２の後部外面に取り付け固定される。このＤＣブラシレスモータ１９は、洗濯ドラム槽１１を回転駆動する駆動源である。
【００３６】
洗濯ドラム槽１１は、円筒部の底側である後端にフランジ１７を有する。フランジ１７に設けた主軸１８はＤＣブラシレスモータ１９のロータ側に結合される。こうして、洗濯ドラム槽１１は、駆動源のＤＣブラシレスモータ１９を介して外槽２に回転自在に支持される。
【００３７】
排水路の排水ホース２３は、外槽２の後下部に連通するように設けられる。この排水路には、排水電磁弁２２が設けられる。排水電磁弁２２を開放操作することにより、外槽２に溜まっている洗濯水３０やすすぎ水は、排水ホース２３を通じて機外に排水される。
【００３８】
排水路の排水ホース２３は、外枠ベース２０を貫通して下流側の先端は家屋の排水穴に挿入される。
【００３９】
洗剤溶解装置について、図２を引用して説明する。
【００４０】
この洗剤溶解装置４０は、洗剤投入ケース８に隣接して設けられる。洗剤溶解装置４０は、洗剤溶解槽４１を有する。洗剤溶解槽４１の内底部には、回動自在なる撹拌翼４２が備わる。駆動モータ４３は、洗剤溶解槽４１の外底部に設けられる。この駆動モータ４３で撹拌翼４２は回される。
【００４１】
サイホン管４４はサイホン管キャップ４４ａを装着しており、洗剤溶解槽４１に設けられる。溶かれた溶解洗剤はサイホン管４４より流出する。洗剤溶解槽４１に設けられた溢水口４５は、流出路４６に連通している。サイホン管４４も流出路４６に連通するように設けられている。
【００４２】
流出路４６は、前述したフレキシブルホース１０に接続されている。
【００４３】
注水管４７は、給水弁４８を介して水道に接続されている。この給水弁４８の供給水量は、毎分５Ｌ位である。
【００４４】
洗剤溶解槽４１は取っ手４９を有する。取っ手４９を持って洗剤溶解槽４１の取り外しを行うことができる。
【００４５】
図２の（イ）に示すように、粉体の洗剤を洗剤溶解槽４１に入れ、給水電磁弁４８を開いて適度量の水を注ぎ、撹拌翼４２を回すことにより、溶解した高濃度の洗剤液ができる。
【００４６】
溶けた洗剤の取り出しは、図２の（ロ）に示すように、サイホン管キャップ４４ａの上部を越える程度に再注水することにより行われる。サイホンの原理により、一旦、溶解洗剤の流出が始まると、洗剤溶解槽４１内が空になるまで流出が行われる。
【００４７】
ドラム式洗濯乾燥機の運転工程について、図３を引用して説明する。
【００４８】
この運転工程は洗濯物に付着した汚れを落としたり、すすぎで洗剤分をすすいだりリントを除去したりする。また洗濯物に含まれた洗浄水を洗濯ドラム槽１１の高速回転により脱水穴１４から遠心力で脱水し、排水することを自動的に行う自動洗濯運転工程を示す。
【００４９】
最初に給水電磁弁６がオンして給水３００が行われる。給水量約２０リットルまで給水がされる。総給水量は通常２５リットル程度である。
【００５０】
洗剤ケース８にセットされた洗剤は、給水の際に一緒に洗濯ドラム槽１１の内に内側にある洗濯物に散水される。
【００５１】
洗い３０１では洗濯に必要な洗浄水が供給されると、インバータ駆動のＤＣブラシレスモータ１９が回転して洗濯ドラム槽１１を回転させる。
【００５２】
この時の洗濯ドラム槽１１の回転速度は毎分４０〜６０回転で洗濯ドラム槽１１の外形が大きいほど回転数は低くなり、休止をおいて正逆回転を数分間行い、洗濯物がリフター１６によりかきあげられながら、叩き洗いにより洗濯される。
【００５３】
洗い３０１が終了すると、洗濯物から流出した汚れを含む洗浄水を、排水電磁弁２２をオンして排水ホース２３により機外に排水する工程の排水３０２に移行する。
【００５４】
排水３０２が終了した後、洗濯物に含まれている洗剤分を脱水する脱水３０３に移行する。
【００５５】
脱水３０３では洗濯ドラム槽１１を高速回転して、遠心力により洗濯ドラム槽１１内に開けられた脱水穴１４を通して洗濯物に含まれた洗浄水を脱水する。
【００５６】
脱水３０３が終了すると、洗濯物に含まれた洗剤分をすすぐ、すすぎ（１）３０４へと移行する。
【００５７】
この時、給水３０５が行われるが給水水位は洗濯３０１より水位を高くしてすすぎ(１)３０４が行われる。
【００５８】
すすぎ（１）３０４が終了すると排水３０６，脱水３０７が行われ、すすぎ（１）の時の給水３０５と同じように給水が行われ、すすぎ（２）３０８が行われる。
【００５９】
この時の給水量は洗濯時と同等あるいはすすぎ（１）時に増加した分、水量を低減した給水量としている。
【００６０】
が終了すると排すすぎ（２）３０８水３０９，最終脱水３１０が行われ洗濯の運転工程が終了する。
【００６１】
なお、洗濯乾燥機は、洗濯の運転工程終了後に乾燥工程３１１が続けて実行され終了
３１２に至る。
【００６２】
このような洗濯工程の給水３００の前に溶剤洗剤の注入が行われるのである。
【００６３】
ブロック回路図の概要について、図４を引用して説明する。
【００６４】
図４は、洗い，すすぎ，脱水，乾燥に至るまでの工程を制御する制御手段のブロック回路を示したものである。
【００６５】
制御手段は、マイコン６１を主要部として構成される。
【００６６】
マイコン６１はクロックパルス発生手段のタイマー６３，中央処理装置（ＣＰＵ）６２，メモリ６４，入力ポート６６，出力ポート６５などから構成されている。中央処理装置６２には、演算部６２ａや制御部６２ｂなどがある。
【００６７】
洗濯機の運転動作は、マイコン６１の中にある中央処理装置６２とタイマー６３およびメモリ６４をデータバスによりデータのやりとりをして設定された条件をもとに駆動している。
【００６８】
中央処理装置６２は、基本的には制御命令の取り出しと解読，実行指令であるが、具体的には算術演算やメモリ指定アドレス内容の読み出しで制御，入出力装置への指定アドレスの入出力や全自動コースやアニュマル設定のプログラムの制御を行う。
【００６９】
メモリ６４には、プログラムデータを読み出して書き込みを行う機能を持つＲＡＭ64ａと読み出し専用機能だけを持つＲＯＭ６４ｂの２種類を備えており、ＲＡＭ６４ａは洗濯運転条件に必要なデータを主に記憶して、設定されたプログラムを組む上での作業エリアとして用いる。
【００７０】
ＲＯＭ６４ｂは、決ったプログラムや固定データを入れ、いつでも同じ処理をする場合に使用する。入力ポート６６と出力ポート６５は、中央処理装置６２と入力回路７０と出力駆動回路部７１との間でデータの受け渡しを行う場合の仲介をする回路である。
【００７１】
入出回路部７０側には、洗濯機に組込まれている、各種センサーからの情報や電源スイッチ７２などが接続されている。電源スイッチ７２から洗濯機を運転するのに必要な電源が供給される。
【００７２】
電源スイッチ７２を押すことにより、既に図１で説明した給水電磁弁６が開放されて洗濯機内に洗濯やすすぎに必要な水が供給される。
【００７３】
洗濯やすすぎに必要な、水の量は洗濯機に組込まれた水位センサー７３からの情報を受けて、中央処理装置６２で情報の処理を行い、適正な水量かを判断して、適正であれば図３に示す工程図により次の工程へ移行する。
【００７４】
洗濯や脱水，すすぎなどのＤＣブラシレスモータ１９の回転数は、ＤＣブラシレスモータ１９の近傍に設けられたＩＣホール素子７４からの情報を中央処理装置６２へ伝えて
ＤＣブラシレスモータ１９の適正な回転制御を行う。
【００７５】
その他、入力側には蓋の開閉状態を検知する蓋開閉センサー７５や、全自動コースを設定する全自動コース選択キー７６，洗濯物の量を検知する布量センサー７８，駆動モータ４３，給水電磁弁４８などが設けられている。
【００７６】
また、出力側にはＤＣブラシレスモータ１９や、給水電磁弁６や排水電磁弁２２，蓋ロックソレノイド７９，終了を知らせる終了ブザー８０などが設けられている。
【００７７】
これらの入力・出力装置側からとマイコン６１をデータバスにて情報のやり取りをしながら洗濯機は、洗いからすすぎ，脱水に至る作業を自動的に行うものである。
【００７８】
本発明の主要部について、図５〜図７および図１０〜図１２を引用して説明する。
【００７９】
図５に示すように、洗濯ドラム槽１１を７０〜１１０ＲＰＭで回すと、乾いた洗濯物は洗濯ドラム槽１１の内周面に張り付いた状態に保たれる。この回転速度は、洗濯ドラム槽１１の内周面を転がっていた洗濯物が転がりを脱して遠心力により貼り付きが生じて来るところである。
【００８０】
この乾いた洗濯物は、一箇所にまとまることなく、洗濯ドラム槽１１の内周面全体に亘って平均化したように一様に張り付く状態となる。
【００８１】
この回転速度では、遠心脱水が行われる９００ＲＰＭ程度の高速回転とは違って、洗濯物が洗濯ドラム槽１１の内周面に軽く押し付けられる程度で、洗濯物のふんわり感が残存している。
【００８２】
このような張り付き状態が保たれるように、その回転速度を維持しながら図５に示すように溶解した高濃度の洗剤液を洗濯ドラム槽１１内に散布することにより、乾いた洗濯物の全体にほぼ均一に洗剤を浸透させることができる。
【００８３】
比較参考に挙げた図１０に示すように、停止中の洗濯ドラム槽１１に溶解洗剤を散布しても、投入口に近いところに存在する洗濯物９に散布されるだけで奥に存在する洗濯物９には洗剤の浸透が行われない。
【００８４】
同じく比較参考に挙げた図１１は、縦型洗濯機である。脱水洗濯槽１１００の停止中に溶解洗剤を散布しても、洗剤の浸透が行われるのは上側のところに存在する洗濯物９だけである。底側に存在する洗濯物９には洗剤の浸透性が良くない。
【００８５】
比較参考に挙げた図１２は、縦型洗濯機の脱水洗濯槽１１００を回転させて溶解洗剤が散布されているところを示している。遠心力で洗濯物９が張り付いて脱水洗濯槽１１００の中央が空洞になるところに溶解洗剤が散布されるので、洗剤の浸透は底側に存在する洗濯物９だけになる。
【００８６】
比較参考に挙げた図１０〜図１２との対比より明らかなように、図５に示す本発明の実施では、散布する溶解洗剤を洗濯物９の全体に亘って浸透させることができる。このため、洗濯物の洗浄力が向上し、洗いむらが低減されるのである。
【００８７】
また、ふんわり感が残存した状態の乾いた洗濯物９に溶解洗剤の散布が行われるので、高速回転により強く押し付けられて硬くなっている洗濯物に比べ、洗剤が浸透し易い。
【００８８】
さらに、７０〜１１０ＲＰＭ程度の回転速度を維持して溶解洗剤の散布が行われるので、浸透した洗剤が遠心脱水に至ることはない。
【００８９】
また、高濃度に溶解された洗剤の散布前に適度量（４〜６Ｌ）の清水を散布することにより、洗剤の浸透拡がりが良くなる。それに加え、高濃度洗剤による洗濯物の色落ち等が抑えられる。
【００９０】
なお、図５に示すように、洗濯ドラム槽１１は水平よりも斜めに置かれ方が前後方向の散布範囲が拡がる利点がある。
【００９１】
図６に示すように、ステップＳ６００で洗濯スタートに入る。ステップＳ６０１で洗濯量センシングが行われる。洗濯量センシングは洗濯ドラム槽１１を５０ＲＰＭで回して洗濯量によりＤＣブラシレスモータの電流値の変化などにより行う。
【００９２】
この後、洗濯ドラム槽１１を７０〜１１０ＲＰＭで回す回転に移行する（ステップＳ
６０２）。ステップＳ６０３で、ＩＣホール素子７４の検知により規定回転数になっているか調べられる。規定回転数より低いときは、回転数を上げ、規定回転数を越えるときは下げるように速度制御される。
【００９３】
この７０〜１１０ＲＰＭの規定回転数は、共振回転数より低い速度である。転がりが止んで、洗濯物９は洗濯ドラム槽１１の内周面に軽く押し付けられるように張り付く。
【００９４】
この規定回転を維持して洗剤溶解槽４１内の溶解洗剤を流し出すための注水開始をする（ステップＳ６０４）。注水はｔ分間行われる（ステップＳ６０５）。この時間内に高濃度の溶解洗剤の散布が洗濯物９に行われる。
【００９５】
なお、注水は洗剤溶解装置４０のサイホン管４４から高濃度の溶解洗剤が流れ始める程度の量でも良い。
【００９６】
ステップＳ６０６で洗濯ドラム槽１１の回転を止め、洗濯が出来る適正の規定量まで給水される（ステップＳ６０７）。ステップＳ６０８で、給水が規定量であるか調べられ、規定量以下では給水が継続され、規定量に達したら給水を止めて次の工程へ移行する（ステップＳ６０９）。
【００９７】
図７は、図６で述べた各ステップの流れをグラフで示した。
【００９８】
縦軸に洗濯ドラム槽の回転数、横軸に時間を追ってセンシング、回転給水，洗濯水注水を示した。因みに、洗剤溶解槽４１内への注水量は２〜４Ｌ、洗濯水の注水量は１６〜
３２Ｌ（洗濯量８kgの場合）程度である。
【００９９】
図８，図９は他の実施例を示している。
【０１００】
図８は前述した実施例の図６に、図９は前述した実施例の図７にそれぞれ対応する。
【０１０１】
この実施例の特徴は先の実施例で述べたステップＳ６０２をカットして新たなステップＳ８００，ステップＳ８０１，ステップＳ８０２を加えたところにある。
【０１０２】
ステップＳ８００で洗濯ドラム槽１１が共振回転数を上回る高速回転で回される。高速回転の規定回転数（ステップＳ８０１）が確認されたら、洗濯ドラム槽１１を低速回転に移行させる（ステップＳ８０２）。
【０１０３】
ステップＳ６０３で、７０〜１１０ＲＰＭの規定回転数になったら、前述したステップにしたがって推移する。
【０１０４】
この実施例では、洗濯ドラム槽１１が共振回転数を上回る高速回転で回されてから低速回転（７０〜１１０ＲＰＭの規定回転数）に移行させるので、乾いた洗濯物を確実に、かつ迅速に洗濯ドラム槽の内周面に貼り付けることができる良さがある。
【０１０５】
特に、洗濯物の量が多く洗濯ドラム槽内全体に挿入された場合、共振回転数を上回る回転速度で洗濯ドラム槽を回転することにより、洗濯物が遠心力により洗濯ドラム槽の内周壁に張り付き、その中央部に空洞ができる。このため、高濃度の洗剤液が洗濯ドラム槽内にある洗濯物の中央部にできた空洞部から洗濯物全体に散水することができる。
【図面の簡単な説明】
【０１０６】
【図１】本発明の実施例に係わるもので、ドラム式洗濯乾燥機の縦断面図を示している。
【図２】本発明の実施例に係わるもので、洗剤溶解装置を示している。
【図３】本発明の実施例に係わるもので、ドラム式洗濯機の運転工程を示している。
【図４】本発明の実施例に係わるもので、回路ブロック図を示している。
【図５】本発明の実施例に係わるもので、乾いた洗濯物が洗濯ドラム槽の内周面に張り付いたところに溶解洗剤を散布している様子を示している。
【図６】本発明の実施例に係わるもので、溶解洗剤を散布に至るフローを示している。
【図７】本発明の実施例に係わるもので、溶解洗剤を散布に至るフローをグラブで表している。
【図８】本発明の他の実施例に係わるもので、先に述べた図６に対応している。
【図９】本発明の他の実施例に係わるもので、先に述べた図７に対応している。
【図１０】本発明の実施例と比較するために挙げたドラム式洗濯機の比較参考図である。
【図１１】本発明の実施例と比較するために挙げた縦型洗濯機の比較参考図で、脱水洗濯槽を停止して洗剤散布をしているところを示している。
【図１２】本発明の実施例と比較するために挙げた縦型洗濯機の比較参考図で、脱水洗濯槽を回して洗剤散布をしているところを示している。
【符号の説明】
【０１０７】
１  外枠筐体
２  外槽
９  洗濯物
１１  洗濯ドラム槽
２４  溶解洗剤が散布される注入口
４０  洗剤溶解装置
【図１】
2008073127.tif 000003
【図２】
2008073127.tif 000004
【図３】
2008073127.tif 000005
【図４】
2008073127.tif 000006
【図５】
2008073127.tif 000007
【図６】
2008073127.tif 000008
【図７】
2008073127.tif 000009
【図８】
2008073127.tif 000010
【図９】
2008073127.tif 000011
【図１０】
2008073127.tif 000012
【図１１】
2008073127.tif 000013
【図１２】
2008073127.tif 000014